(57)【要約】【課題】木製の筐体の側面板に係止孔を設けることなく、木製の筐体の底面板から離れた位置に電源ユニットを設けることができる遊技機を提供する。【解決手段】箱状に形成された木製の筐体１０と、電力を供給するための電源基板２５を有する電源ユニット３０とを具備する遊技機１が、木製の筐体１０の底面板１０ｂに固定され、電源ユニットの底面板から電源ユニット３０を支持する支持部４０を具備し、電源ユニット３０の底面板において、支持部３０の上面と接していない部分には、電源基板２５が発生する熱を放出するための放出孔３８が設けられていることを要旨とする。【選択図】    図２
2005169016.tif 000002
【特許請求の範囲】
【請求項１】
箱状に形成された木製の筐体と、電力を供給するための電源基板を有する電源ユニットとを具備する遊技機であって、
前記筐体の底面に固定され、前記電源ユニットの底面から当該電源ユニットを支持する支持部を具備し、
前記電源ユニットの底面において、前記支持部の上面と接していない部分には、前記電源基板が発生する熱を放出するための放出孔が設けられていることを特徴とする遊技機。
【請求項２】
前記電源ユニットの底面には、当該電源ユニットの底面から前記筐体の底面側に突出する部材によって形成された取付部が設けられ、
前記支持部の上面には、前記取付部が挿入される挿入孔が設けられていることを特徴とする請求項１に記載の遊技機。
【請求項３】
前記電源ユニットの底面には、当該電源ユニットの底面から前記筐体の底面側に突出する部材によって形成され、棒状の部材が挿通される第１の挿通孔を有する取付部が設けられ、
前記支持部の側面には、前記第１の挿通孔に挿通された前記棒状の部材が挿通される第２の挿通孔が設けられていることを特徴とする請求項１に記載の遊技機。
【請求項４】
前記支持部は、前記筐体の側面と当該筐体の底面とに接する位置に設けられていることを特徴とする請求項１乃至請求項３に記載の遊技機。
【発明の詳細な説明】
【技術分野】
【０００１】
本発明は、箱状に形成された筐体と、電力を供給するための電源基板を有する電源ユニットとを具備する遊技機に関する。
【背景技術】
【０００２】
従来、箱状に形成された筐体と、当該筐体の正面側に開閉可能に取り付けられた前面扉とを具備する遊技機が知られている。また、この遊技機の筐体の内部には、所定の機器（遊技機の制御基板等）に電力を供給するための電源基板を有する電源ユニットが設けられている（例えば、特許文献１）。
【０００３】
なお、遊技機に具備される筐体の種類としては、木製の部材によって形成された筐体（以下、木製の筐体）、金属製の部材によって形成された筐体（以下、金属製の筐体）等が挙げられる。以下、木製の筐体に電源ユニットを取り付ける方法、及び、金属製の筐体に電源ユニットを取り付ける方法について、図面を参照しながら説明する。
【０００４】
図５は、木製の筐体に電源ユニットを取り付ける方法について示す図である。同図に示すように、電源ユニット７０は、木製の筐体６０の側面板６０ａと木製の筐体６０の底面板６０ｂとに接するように設けられている。また、電源ユニット７０の上面板７０ａには、当該電源ユニット７０の内部で発生した（電源基板が発生した）熱を放出するための放出孔７１が設けられている。
【０００５】
図６（ａ）及び図６（ｂ）は、金属製の筐体に電源ユニットを取り付ける方法について示す図である。図６（ａ）に示すように、金属製の筐体８０の側面板８０ａには、電源ユニット９０を係止するための係止孔８１ａ〜係止孔８１ｄが設けられている。また、図６（ｂ）に示すように、電源ユニット９０には、当該電源ユニット９０を金属製の筐体８０の側面板８０ａに係止するための係止爪９１ａ〜９１ｄが設けられている。なお、電源ユニット９０の内部に設けられている電源基板は省略されている。
【０００６】
すなわち、電源ユニット９０は、当該電源ユニット９０の係止爪９１ａ〜係止爪９１ｄが金属製の筐体８０の係止孔８１ａ〜係止孔８１ｄに取り付けられることにより、金属製の筐体８０の底面板８０ｂから離れた位置で、金属製の筐体８０の側面板８０ａに係止される。
【０００７】
また、電源ユニット９０の上面板９０ａには、電源ユニット９０の内部で発生した熱を放出するための放出孔９２ａが設けられ、電源ユニット９０の底面板９０ｂには、電源ユニット９０の内部で発生した熱を放出するための放出孔９２ｂが設けられている。
【０００８】
このように、金属製の筐体８０を具備する遊技機は、電源ユニット９０の上面板９０ａ及び底面板９０ｂに放出孔９２ａ及び放出孔９２ｂが設けられていることにより、上述した木製の筐体６０を具備する遊技機に比べ、電源ユニットの内部で発生した熱を効率的に放出することができる。
【０００９】
ところで、金属製の筐体は、木製の筐体に比べ、製造コストが高くなるため、木製の筐体においても、金属製の筐体と同様に、木製の筐体の底面から離れた位置に電源ユニットを設けたいという要望があった。
【特許文献１】特開２００３−９３７０４号公報
【発明の開示】
【発明が解決しようとする課題】
【００１０】
しかしながら、木製の筐体において、木製の筐体の底面から離れた位置に電源ユニットを設けるために、木製の筐体の側面に係止孔を設け、電源ユニットに設けられた係止爪を当該係止孔に取り付けると、当該係止孔が当該電源ユニットの重さで破損する可能性があるという問題があった。
【００１１】
そこで、本発明は、上述の問題を解決するためになされたものであり、木製の筐体の側面に係止孔を設けることなく、木製の筐体の底面から離れた位置に電源ユニットを設けることができる遊技機を提供することを目的とする。
【課題を解決するための手段】
【００１２】
本発明の第１の特徴は、箱状に形成された木製の筐体と、電力を供給するための電源基板を有する電源ユニットとを具備する遊技機が、筐体の底面に固定され、電源ユニットの底面から電源ユニットを支持する支持部を具備し、電源ユニットの底面において、支持部の上面と接していない部分には、電源基板が発生する熱を放出するための放出孔が設けられていることを要旨とする。
【００１３】
かかる特徴によれば、木製の筐体の底面に固定された支持部が、電源ユニットの底面から電源ユニットを支持することで、木製の筐体の底面から離れた位置に電源ユニットを設けることができる。
【００１４】
また、電源ユニットの底面において、支持部の上面と接していない部分に放出孔が設けられていることにより、当該放出孔は、電源基板が発生する熱を放出することができる。これにより、電源基板が発生する熱によって、電源基板のＩＣ等が破損することを防止することができる。
【００１５】
本発明の第２の特徴は、本発明の第１の特徴において、電源ユニットの底面には、電源ユニットの底面から筐体の底面側に突出する部材によって形成された取付部が設けられ、支持部の上面には、取付部が挿入される挿入孔が設けられていることを要旨とする。
【００１６】
かかる特徴によれば、電源ユニットの底面に設けられた取付部が、支持部の上面に設けられた挿入孔に挿入されることにより、木製の筐体の底面に固定された支持部に電源ユニットを固定することができる。
【００１７】
本発明の第３の特徴は、本発明の第１の特徴において、電源ユニットの底面には、電源ユニットの底面から木製の筐体の底面側に突出する部材によって形成され、棒状の部材（例えば、ネジ、釘、ビスなど）が挿通される第１の挿通孔を有する取付部が設けられ、支持部の側面には、第１の挿通孔に挿通された棒状の部材が挿通される第２の挿通孔が設けられていることを要旨とする。
【００１８】
かかる特徴によれば、電源ユニットの底面に設けられた取付部の第１の挿通孔と支持部の側面に設けられた第２の挿通孔とに、棒状の部材が挿通されることにより、木製の筐体の底面に固定された支持部に電源ユニットを固定することができる。
【００１９】
本発明の第４の特徴は、本発明の第１乃至第３の特徴において、支持部は、木製の筐体の側面と木製の筐体の底面とに接する位置に設けられていることを要旨とする。
【００２０】
かかる特徴によれば、支持部が、木製の筐体の側面と木製の筐体の底面とに接する位置に設けられていることにより、支持部は、 木製の筐体の底面から離れた位置で電源ユニットを支持するとともに、筐体を補強することができる。
【発明の効果】
【００２１】
本発明によれば、木製の筐体の側面に係止孔を設けることなく、木製の筐体の底面から離れた位置に電源ユニットを設けた遊技機を提供することができる。
【発明を実施するための最良の形態】
【００２２】
以下、本発明に実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【実施例１】
【００２３】
図１は、本実施例に係る遊技機１を示す斜視図である。同図に示すように、遊技機１は、箱状に形成された木製の筐体１０と、木製の筐体１０の正面側に開閉可能に取り付けられた前面扉２０とによって構成されている。なお、以下の説明において、遊技機１は、パチスロ機であるものとするが、これに限定されるものではなく、パチンコ機、あるいはゲームセンターに設置された各種ゲーム機などであってもよい。
【００２４】
木製の筐体１０の内部には、３個のリール３Ｌ、３Ｃ、３Ｒが回転自在に設けられている。３個のリール３Ｌ、３Ｃ、３Ｒには、各々の外周面に複数種類の図柄（例えば、ＢＡＲ、チェリー、ベルなど）によって構成された図柄列が描かれている。
【００２５】
前面扉２０の正面側には、各リール３Ｌ、３Ｃ、３Ｒを視認できるように、パネル表示窓４Ｌ、４Ｃ、４Ｒが設けられている。表示窓４Ｌ、４Ｃ、４Ｒの下側には、各リール３Ｌ、３Ｃ、３Ｒの回転を停止するための停止ボタン５Ｌ、５Ｃ、５Ｒが設けられ、停止ボタン５Ｌの左側には、各リール３Ｌ、３Ｃ、３Ｒの回転を開始するためのスタートレバー６が設けられている。
【００２６】
図２は、本実施例に係る木製の筐体１０の内部構造を簡略化した斜視図である。同図に示すように、木製の筐体１０の内部には、電源ユニット３０と支持部４０とが設けられている。
【００２７】
電源ユニット３０は、所定の機器（遊技機の制御基板等）に電力を供給するための電源基板２５を内部に有し、支持部４０の上面に設けられている。すなわち、電源ユニット３０は、木製の筐体１０の底面板１０ｂから離れた位置に設けられている。なお、電源ユニット３０の上面板３２には、放出孔３８が設けられている。詳細については後述する（図３）。
【００２８】
支持部４０は、木製の筐体１０の側面板１０ａと底面板１０ｂとに接する位置に設けられている。また、支持部４０は、木製の筐体の側面板１０ａ又は底面板１０ｂにボンドや接着剤などによって固定され、電源ユニット３０を支持している。なお、支持部４０は、木製の部材（例えば、ベニヤ板の合板やパーティクルボード）などによって形成されているものとする。
【００２９】
以下において、電源ユニット３０を支持部４０に取り付ける方法についての説明する。図３は、電源ユニット３０を支持部４０に取り付ける方法を示す拡大斜視図である。なお、同図においては、電源ユニット３０の内部に設けられた電源基板２５は省略されている。
【００３０】
同図に示すように、電源ユニット３０は、底面板３１と上面板３２と側面板３４〜側面板３６とにより箱状に形成されている。また、電源ユニット３０の底面板３１には、電源ユニット３０が支持部４０に取り付けられたときに、電源ユニット３０の底面板３１と支持部４０の上面４３とが接する部分である底面部分３１ｃと、電源ユニット３０が支持部４０に取り付けられたときに、電源ユニット３０の底面板３１と支持部４０の上面４３とが接しない部分である底面部分３１ｄによって構成されている。
【００３１】
底面部分３１ｃには、木製の筐体１０の底面板１０ｂ側に突出する部材によって形成され、支持部４０の上面４３に設けられた挿入孔４１ａ及び挿入孔４１ｂに挿入される取付部３１ａ及び取付部３１ｂがそれぞれ設けらている。
【００３２】
底面部分３１ｄには、電源ユニット３０の内部から発生する（電源基板２５が発生する）熱を放出するための放出孔３８ａが複数設けられている。
【００３３】
電源ユニット３０の上面板３２には、電源ユニット３０の内部から発生する熱を放出するための放出孔３８ｂが複数設けられている。また、電源ユニット３０の上面板３２には、電源ユニット３０を木製の筐体１０の側面板１０ａにネジ５２によって固定するため、ネジ５２が挿通できるネジ孔３２ａを有する取付部３２ｂが設けられている。
【００３４】
電源ユニット３０の側面板３５には、電源ユニット３０の内部から発生する熱を放出するための放出孔３８ｃが複数設けられている。
【００３５】
支持部４０は、上述したように、木製の筐体１０の側面板１０ａと底面板１０ｂとに接する位置に設けられている。支持部４０の上面４３には、電源ユニット３０の取付部３１ａ及び取付部３１ｂが挿入される挿入孔４１ａ及び挿入孔４１ｂが設けられている。
【００３６】
なお、挿入孔４１ａ及び挿入孔４１ｂは、取付部３１ａ及び取付部３１ｂが挿入された際に、電源ユニット３０を支持部４０に固定可能な大きさを有するものとする。
【００３７】
（遊技機の作用及び効果）
本実施例における遊技機１によれば、木製の筐体１０の側面板１０ａ又は底面板１０ｂに固定された支持部４０が、電源ユニット３０の底面板３１から電源ユニット３０を支持することで、木製の筐体１０の底面板１０ｂから離れた位置に電源ユニット３０を設けることができる。
【００３８】
電源ユニット３０の底面板３１に設けられた取付部３１ａ及び取付部３１ｂが、支持部４０の上面４３に設けられた挿入孔４１ａ及び挿入孔４１ｂに挿入されることにより、木製の筐体１０の底面板１０ｂに固定された支持部４０に電源ユニット３０を固定することができる。
【００３９】
電源ユニット３０の底面板３１において、電源ユニット３０の底面板３１が、支持部４０の上面４３に接しない部分である底面部分３１ｄに放出孔３８ａが設けられていることにより、放出孔３８ａは、電源基板２５が発生する（電源ユニット３０の内部から発生する）熱を放出することができる。
【００４０】
また、電源ユニット３０の上面板３２に放出孔３８ｂが設けられていることにより、電源基板２５が発生する熱が放出孔３８ｂから放出されるとともに、木製の筐体１０の底面板１０ｂと電源ユニット３０の底面３１との間にある冷たい空気が放出孔３８ａから流入し、木製の筐体１０の内部において対流が発生する。したがって、この対流により電源基板２５が発生する熱を、より一層効率的に放出することができる。
【００４１】
これにより、電源基板２５が発生する熱によって、電源基板２５のＩＣ等が破損することを防止することができる。
【００４２】
さらに、支持部３０が、木製の筐体１０の側面板１０ａと底面板１０ｂとに接する位置に設けられていることにより、支持部４０は、支持部４０の上面４３から電源ユニット３０を支持することに加え、木製の筐体１０を補強することができる。
【実施例２】
【００４３】
以下において、本実施例２における遊技機１について図面を参照しながら説明する。なお、以下においては、上述の実施例１との相違点についてのみ説明する。
【００４４】
具体的には、上述の実施例において、電源ユニット３０の底面板３１に設けられた取付部３１ａ及び取付部３１ｂが、支持部４０の上面４３に設けられた挿入孔４１ａ及び挿入孔４１ｂが挿入されることにより、電源ユニット３０は支持部４０に固定されるのに対し、本実施例において、電源ユニット３０は、ネジ止めによって支持部４０の側面に固定される。具体的には、以下で示す通りである。
【００４５】
図４は、本実施例における電源ユニット３０を支持部４０に取り付ける方法を示す拡大斜視図である。なお、同図においては、電源ユニット３０の内部に設けられた電源基板２５は省略されている。
【００４６】
同図に示すように、電源ユニット３０は、底面板３１と上面板３２と側面板３４〜側面板３６とにより箱状に形成されている。また、電源ユニット３０の底面板３１には、電源ユニット３０が支持部４０に取り付けられたときに、電源ユニット３０の底面板３１と支持部４０の上面４３とが接する部分である底面部分３１ｃと、電源ユニット３０が支持部４０に取り付けられたときに、電源ユニット３０の底面板３１と支持部４０の上面４３とが接しない部分である底面部分３１ｄによって構成されている。
【００４７】
底面部分３１ｄには、電源ユニット３０の内部から発生する（電源基板２５が発生する）熱を放出するための放出孔３８ａが複数設けられている。
【００４８】
また、底面部分３１ｄには、木製の筐体１０の底面板１０ｂ側に突出する部材によって形成された取付部３３ａ及び取付部３３ｂがそれぞれ設けられている。取付部３３ａには、ネジ５０（棒状の部材）が挿通されるネジ孔３９ａ（第１の挿通孔）が設けられ、取付部３３ｂには、ネジ５１（棒状の部材）が挿通されるネジ孔３９ｂ（第１の挿通孔）が設けられている。すなわち、電源ユニット３０はネジ孔３９ａ及びネジ孔３９ｂ、ネジ孔４６ａ及びネジ孔４６ｂを介して、支持部４０の側面４５にネジ５０及びネジ５１によって固定される。
【００４９】
支持部４０は、上述したように、木製の筐体１０の側面板１０ａと底面板１０ｂとに接する位置に設けられている。支持部４０の側面４５には、ネジ孔３９ａを介してネジ５０が挿通されるネジ孔４６ａ（第２の挿通孔）が設けられ、ネジ孔３９ｂを介してネジ５１が挿通されるネジ孔４６ｂ（第２の挿通孔）が設けられている。
【００５０】
本実施例によれば、電源ユニット３０の底面板３１に設けられた取付部３３ａ及び取付部３３ｂのネジ孔３９ａ及びネジ孔３９ｂと、支持部４０の側面４５に設けられたネジ孔４６ａ及びネジ孔４６ｂとにネジ５０及びネジ５１が挿通されることにより、木製の筐体１０の底面板１０ｂに固定された支持部４０に電源ユニット３０を固定することができる。
【図面の簡単な説明】
【００５１】
【図１】実施例１に係る遊技機１を示す斜視図である。
【図２】実施例１に係る木製の筐体１０の内部構造を簡略化した斜視図である。
【図３】実施例１において電源ユニット３０を支持部４０に取り付ける方法を示す拡大斜視図である。
【図４】実施例２において電源ユニット３０を支持部４０に取り付ける方法を示す拡大斜視図である。
【図５】従来の遊技機１に具備される木製の筐体１０の内部構造を簡略化した斜視図である。
【図６】従来の遊技機１に具備される金属製の筐体１０の内部構造を簡略化した斜視図である。
【符号の説明】
【００５２】
１…遊技機（パチスロ機）、３Ｌ〜３Ｒ…リール、 ４Ｌ〜４Ｒ…パネル表示窓、 ５Ｌ〜５Ｒ…停止ボタン、６…スタートレバー、１０…木製の筐体、１０ａ…側面板、１０ｂ…底面板、２０…前面扉、２５…電源基板、３０…電源ユニット、３１…電源ユニットの底面板、３１ｃ,３１ｄ…底面部分、３１ａ,３１ｂ…取付部、３２…上面板、３２ａ…ネジ孔、３２ｂ…取付部、３３ａ,３３ｂ…取付部、３４〜３５…側面板、３８ａ〜３８ｂ…放出孔、３９ａ,３９ｂ…ネジ孔、４０…支持部、４１ａ,４１ｂ…ネジ孔、４３…上面、４５…側面、４６ａ,４６ｂ…挿入孔、６０…木製の筐体、６０ａ…側面板、６０ｂ…底面板、７０…電源ユニット、７０ａ…上面板、７１…放出孔、８０…金属製の筐体、８０ａ…側面板、８０ｂ…底面板、８１ａ〜８１ｄ…係止孔、９０…電源ユニット、９０ａ…上面板、９０ｂ…底面板、９１ａ〜９１ｄ…係止爪
【図１】
2005169016.tif 000003
【図２】
2005169016.tif 000004
【図３】
2005169016.tif 000005
【図４】
2005169016.tif 000006
【図５】
2005169016.tif 000007
【図６】
2005169016.tif 000008